(57)【要約】【課題】より安全に仕舞うことのできるヘアーアイロン装置を得る。【解決手段】ヘアーアイロン装置１００は、把持部２ａ，３ａと、当該把持部２ａ、３ａの一端に連設されて毛髪を挟み込む挟持部２ｂ，３ｂと、当該挟持部２ｂ，３ｂに設けられ挟んだ毛髪に熱を加える発熱部２３，３３と、を有するヘアーアイロン１を備えている。そして、ヘアーアイロン１を仕舞うときには、一端が開口したキャップ１０を、挟持部２ｂ，３ｂに、発熱部２３，３３が形成された部位の外周全周を覆うように装着させるようにした。【選択図】図３
2012085922.tif 000002
【特許請求の範囲】
【請求項１】
把持部と、当該把持部の一端に連設されて毛髪を挟み込む挟持部と、当該挟持部に設けられ挟んだ毛髪に熱を加える発熱部と、を有するヘアーアイロンと、
一端が開口し、前記挟持部の前記発熱部が形成された部位の外周全周を覆うように装着されるキャップと、を備えることを特徴とするヘアーアイロン装置。
【請求項２】
前記挟持部および前記キャップに、互いに係合する係合部が設けられていることを特徴とする請求項１に記載のヘアーアイロン装置。
【請求項３】
前記キャップを前記挟持部に装着した際に、当該挟持部とキャップとの間に空隙が形成されることを特徴とする請求項１または請求項２に記載のヘアーアイロン装置。
【請求項４】
前記キャップの内側に、当該キャップを前記挟持部に挿入する際に前記挟持部に形成されたガイド溝に挿入されるガイド突部が設けられていることを特徴とする請求項１〜３のうちいずれか１項に記載のヘアーアイロン装置。
【請求項５】
前記挟持部は、第１の毛髪挟持面を有する第１の挟持部と第２の毛髪挟持面を有する第２の挟持部とを有しており、
前記ガイド突部を前記ガイド溝に挿入した際に、前記第１の毛髪挟持面と第２の毛髪挟持面との間に隙間が形成されるようにしたことを特徴とする請求項４に記載のヘアーアイロン装置。
【請求項６】
前記ヘアーアイロンには、前記発熱部への通電のオン・オフ状態を切り換えるスイッチがスライド可能に設けられており、
前記キャップには、当該キャップを前記挟持部に挿入する際に前記スイッチを通電オフ状態となるようにスライドさせるリブが形成されていることを特徴とする請求項１〜５のうちいずれか１項に記載のヘアーアイロン装置。
【請求項７】
前記キャップの外表面が複数の面の集合体で形成されていることを特徴とする請求項１〜６のうちいずれか１項に記載のヘアーアイロン装置。
【発明の詳細な説明】
【技術分野】
【０００１】
本発明は、ヘアーアイロン装置に関する。
【背景技術】
【０００２】
従来、ヘアーアイロンとして、基端を回動自在に連結して開閉自在に設けた一対のグリップと、各グリップの先端側に対向して設けられ、裏面側にカール部が設けられた平面状の発熱部（挟持部）と、を備えるものが知られている（例えば、特許文献１参照）。
【０００３】
この特許文献１では、発熱部のカール部の曲率とは異なる曲率の湾曲面を有する補助ケースを発熱部（挟持部）に着脱自在に装着できるようにすることで、毛髪をカールさせるときの曲げ度合いを変えることができるようにしている。
【先行技術文献】
【特許文献】
【０００４】
【特許文献１】特開２００９−０５０６８１号公報
【発明の概要】
【発明が解決しようとする課題】
【０００５】
しかしながら、上記特許文献１では、補助ケースが脱着自在に設られるようになっているが、この補助ケースはあくまでも毛髪をカールするためのものであり、発熱部を覆う機能については開示されていない。そのため、上記従来の技術では、ヘアーアイロンの使用後に、残熱がある発熱部に使用者が触れてしまうおそれがある。
【０００６】
そこで、本発明は、より安全に仕舞うことのできるヘアーアイロン装置を得ることを目的とする。
【課題を解決するための手段】
【０００７】
本発明にあっては、ヘアーアイロン装置であって、把持部と、当該把持部の一端に連設されて毛髪を挟み込む挟持部と、当該挟持部に設けられ挟んだ毛髪に熱を加える発熱部と、を有するヘアーアイロンと、一端が開口し、前記挟持部の前記発熱部が形成された部位の外周全周を覆うように装着されるキャップと、を備えることを主要な特徴とする。
【発明の効果】
【０００８】
本発明によれば、ヘアーアイロンに、挟持部の発熱部が形成された部位の外周全周を覆うようにキャップを装着できるようにした。そのため、使用者がヘアーアイロン使用後に残熱がある発熱部に触れてしまうのを抑制することができ、より安全にヘアーアイロンを仕舞うことができるようになる。
【０００９】
このように、本発明によれば、より安全に仕舞うことのできるヘアーアイロン装置を得ることができる。
【図面の簡単な説明】
【００１０】
【図１】図１は、本発明の一実施形態にかかるヘアーアイロンの斜視図である。
【図２】図２は、本発明の一実施形態にかかるヘアーアイロンの側面図である。
【図３】図３は、本発明の一実施形態にかかるヘアーアイロン装置の側面図である。
【図４】図４は、本発明の一実施形態にかかるヘアーアイロン装置の平面図である。
【図５】図５は、図４のＣ−Ｃ断面図である。
【図６】図６は、図３のＡ−Ａ断面図である。
【図７】図７は、本発明の一実施形態にかかるキャップを開口側からみた図である。
【図８】図８は、本発明の一実施形態にかかるキャップを示す側面図である。
【図９】図９は、図８のＤ−Ｄ断面図である。
【図１０】図１０は、図３のＢ−Ｂ断面図である。
【図１１】図１１は、アイロン部に装着するキャップで電源スイッチを切る状態を（ａ）から（ｃ）に順を追って示すヘアーアイロンの正面図である。
【図１２】図１２（ａ）は、図１１（ａ）のＥ−Ｅ断面図、図１２（ｂ）は、図１１（ｂ）のＦ−Ｆ断面図、図１２（ｃ）は、図１１（ｃ）のＧ−Ｇ断面図である。
【発明を実施するための形態】
【００１１】
以下、本発明の実施形態について図面を参照しながら詳細に説明する。なお、以下では、第１の毛髪挟持面と第２の毛髪挟持面とを当接させるとともに第２の毛髪挟持面が上を向いた状態におけるヘアーアイロンを基準として上下方向を規定する。また、ヘアーアイロンの挟持部側を前方、把持部側を後方として説明する。
【００１２】
本実施形態にかかるヘアーアイロン装置１００は、図１および図２に示すように、ヘアーアイロン１を備えている。そして、本実施形態では、ヘアーアイロン装置１００は、ヘアーアイロン１に着脱自在に装着されるキャップ１０を備えている（図３参照）。
【００１３】
本実施形態では、ヘアーアイロン１は、図１に示すように、回動連結部４を介して略Ｖ字状に拡開可能に連結された上側アーム部２および下側アーム部３を備えている。そして、上側アーム部２と下側アーム部３とを回動連結部４を介して相対回動させることで、上側アーム部２および下側アーム部３の先端同士を接離できるようにしている。すなわち、本実施形態では、上側アーム部２と下側アーム部３との相対回動に伴って、後述する上側毛髪挟持面２２ａと下側毛髪挟持面３２ａとが接離されるようにしている。
【００１４】
また、本実施形態では、図５に示すように、下側アーム部３の回動連結部４近傍に、上方に開口した筒部３ｃが設けられているとともに、上側アーム部２の回動連結部４近傍に、下方に開口して、筒部３ｃ内に挿入可能な筒部２ｃが設けられている。そして、この筒部２ｃと筒部３ｃとで形成された空間部には、コイルスプリング５が収容されており、このコイルスプリング５によって、上側アーム部２と下側アーム部３とを互いに拡開するように付勢している。また、筒部２ｃを筒部３ｃ内に挿入させることで、ヘアーアイロン１を閉じる際に、上側アーム部２と下側アーム部３とが幅方向にずれてしまうのを抑制している。なお、本実施形態では、図示せぬストッパによって、上側アーム部２と下側アーム部３の拡開方向への回動が規制されている。
【００１５】
また、上側アーム部２および下側アーム部３の回動連結部４側（ヘアーアイロン１の後側）には、上側把持部（把持部）２ａおよび下側把持部（把持部）３ａがそれぞれ設けられている。そして、先端側には、上側挟持部（第１の挟持部：挟持部）２ｂおよび下側挟持部（第２の挟持部：挟持部）３ｂがそれぞれ設けられている。
【００１６】
そして、上側挟持部２ｂおよび下側挟持部３ｂは、それぞれ、上側アーム部２および下側アーム部３を閉じるように回動させた際に当接可能な上側毛髪挟持面（第１の毛髪挟持面）２２ａおよび下側毛髪挟持面（第２の毛髪挟持面）３２ａを有している。
【００１７】
また、挟持部の外表面（本実施形態では、上側挟持部２ｂおよび下側挟持部３ｂのそれぞれの外表面）には、図１に示すように、毛髪をカールさせるためのカール部２ｄ，３ｄが設けられている。なお、本実施形態では、上側挟持部２ｂおよび下側挟持部３ｂの外表面とは、上側挟持部２ｂおよび下側挟持部３ｂの外面のうち、上側毛髪挟持面２２ａおよび下側毛髪挟持面３２ａとは反対側の面のことをいう。
【００１８】
さらに、本実施形態では、上側挟持部２ｂおよび下側挟持部３ｂには、図５に示すように、発熱部としてのヒータ２３およびヒータ３３が設けられている。
【００１９】
そして、上側アーム部２および下側アーム部３の先端側に形成された上側毛髪挟持面２２ａと下側毛髪挟持面３２ａとで毛髪を挟み込み、ヒータ２３およびヒータ３３で発生させた熱を上側毛髪挟持面２２ａおよび下側毛髪挟持面３２ａを介して毛髪に加えることで、毛髪にカール状やストレート状の癖付けを施している。
【００２０】
例えば、毛髪へのカール状の癖付けは、以下のようにして行われる。まず、加熱した上側挟持部２ｂおよび下側挟持部３ｂを互いに対向させ、上側挟持部２ｂと下側挟持部３ｂとの間に、上側挟持部２ｂおよび下側挟持部３ｂの幅方向に延在するように毛髪を配置した状態で、上側毛髪挟持面２２ａと下側毛髪挟持面３２ａとで毛髪を挟み込む。次に、毛髪を挟み込んだ状態でヘアーアイロン１を回転させて、上側毛髪挟持面２２ａと下側毛髪挟持面３２ａとで挟み込まれていない根元側の毛髪をカール部３ｄに押し当てる。そして、毛髪をカール部３ｄに押し当てた状態で、ヘアーアイロン１を、毛髪に沿って滑らせながら毛先に向けて引き下ろすことで、毛髪にカール状の癖付けが施される。なお、毛髪へのストレート状の癖付けは、上側毛髪挟持面２２ａと下側毛髪挟持面３２ａとで毛髪を挟み込んだヘアーアイロン１を回転させずに、毛髪に沿って滑らせながら毛先に向けて引き下ろすことで行われる。
【００２１】
このように、本実施形態にかかるヘアーアイロン１は、毛髪に熱による癖付けを施すことで整髪を行うものである。
【００２２】
上述した上側アーム部２および下側アーム部３は、外壁をなすケース２０およびケース３０を備えており、これらケース２０およびケース３０は、複数の分割体を継ぎ合わせて構成されている。また、ケース２０およびケース３０の内部には空洞が形成されており、この空洞内に、例えば、制御装置５０等の各種電気部品が収容されている。
【００２３】
本実施形態では、上部ケース２０ａと下部ケース２０ｂとをネジ４２によりネジ止めすることで内部に空洞が形成されたケース２０を形成している（図５および図１０参照）。
【００２４】
また、下部ケース３０ｂと上部ケース３０ａとをネジ４２によりネジ止めすることで、内部に空洞が形成されたケース３０を形成している（図５および図１０参照）。
【００２５】
そして、ケース２０およびケース３０の幅方向両側部には、当該ケース２０およびケース３０の上下方向に延在する突条２０ｄおよび突条３０ｄが長手方向に並設されている。
【００２６】
この突条２０ｄおよび突条３０ｄは、ケース２０およびケース３０の上側挟持部２ｂおよび下側挟持部３ｂ側に設けられており、側面視で、上下の毛髪挟持面２２ａ、３２ａの前側短辺から後側短辺にかけて並設されている。
【００２７】
このように、ケース２０およびケース３０に、上下方向に延在する突条２０ｄおよび突条３０ｄを設けることで、ヘアーアイロン１の使用時に、ケース２０およびケース３０と使用者等の頭皮や肌との接触面積を少なくすることができる。また、上下方向に延在する突条２０ｄおよび突条３０ｄを長手方向に並設することで、ケース２０およびケース３０の表面積の増加により効率的に放熱を行うことができるようになる上、この突条２０ｄおよび突条３０ｄによって毛髪を整流させることができる。
【００２８】
また、本実施形態では、ケース（挟持部本体）２０に上側毛髪挟持面２２ａを有する毛髪挟持部材２１を支持させることで、上側挟持部（第１の挟持部）２ｂを形成している。また、ケース（挟持部本体）３０に、下側毛髪挟持面３２ａを有する毛髪挟持部材３１を支持させることで、下側挟持部（第２の挟持部）３ｂを形成している。
【００２９】
具体的には、毛髪挟持部材２１および毛髪挟持部材３１は、略板状のプレート部２２およびプレート部３２を備えており、このプレート部２２およびプレート部３２の表面に、略平坦状の上側毛髪挟持面２２ａおよび下側毛髪挟持面３２ａが形成されている。本実施形態では、上側毛髪挟持面２２ａおよび下側毛髪挟持面３２ａは、図１に示すように、平面視で、ケース２０の長手方向に細長い略長方形状に形成されている。
【００３０】
さらに、上側毛髪挟持面２２ａおよび下側毛髪挟持面３２ａの幅方向両端には、図１０に示すように、幅方向断面視で、斜め外側に向けて凸となる湾曲面２２ｄおよび湾曲面３２ｄがそれぞれ形成されている。
【００３１】
そして、上部ケース２０ａの上側挟持部２ｂ側にはカール部２ｄが形成されており、このカール部２ｄの幅方向両端（下端）には、比較的曲率半径の大きな湾曲面２ｅが形成されている。この湾曲面２ｅは、幅方向断面視で、下方かつ外側に向けて凸となるように湾曲している。さらに、本実施形態では、湾曲面２ｅが湾曲面２２ｄよりも外側かつ上側に位置するように形成されており、毛髪を上側毛髪挟持面２２ａと下側毛髪挟持面３２ａとの間に挟み込んでカール部２ｄに押し当てた際に、湾曲面２ｅおよび湾曲面２２ｄに接触する毛髪の接触面積が大きくなるようにしている。
【００３２】
また、下部ケース３０ｂの下側挟持部３ｂ側にはカール部３ｄが形成されており、このカール部３ｄの幅方向両端（上端）には、比較的曲率半径の大きな湾曲面３ｅが形成されている。この湾曲面３ｅは、幅方向断面視で、上方かつ外側に向けて凸となるように湾曲している。さらに、本実施形態では、湾曲面３ｅが湾曲面３２ｄよりも外側かつ下側に位置するように形成されており、毛髪を上側毛髪挟持面２２ａと下側毛髪挟持面３２ａとの間に挟み込んでカール部３ｄに押し当てた際に、湾曲面３ｅおよび湾曲面３２ｄに接触する毛髪の接触面積が大きくなるようにしている。
【００３３】
このように、湾曲面２ｅおよび湾曲面２２ｄ、もしくは、湾曲面３ｅおよび湾曲面３２ｄに接触する毛髪の接触面積が大きくなるようにすることで、毛髪にカール状の癖付けを施す際に、毛髪にテンションがかかりすぎてしまうのを抑制できるようにしている。
【００３４】
そして、プレート部２２およびプレート部３２のケース２０およびケース３０の内側には、ヒータ２３およびヒータ３３を収容する収容部２４および収容部３４が形成されており、収容部２４および収容部３４に収容したヒータ２３およびヒータ３３が、それぞれプレート部２２およびプレート部３２の裏面に当接するようにしている。
【００３５】
このプレート部２２およびプレート部３２は、例えば、銅やアルミニウムなど導電性の高い材料で形成し、毛髪に熱を伝えやすくするのが好ましい。
【００３６】
また、本実施形態では、ヒータ２３およびヒータ３３としてＰＴＣヒータ（Positive Temperature Coefficient ヒータ）を用いており、これにより連続的な温度制御が可能となる。なお、ヒータ２３およびヒータ３３は、ＰＴＣヒータに限らず、ニクロム線ヒータやその他の加熱手段を用いるようにしてもよい。また、ヒータ（発熱部）は、上側挟持部（第１の挟持部）２ｂおよび下側挟持部（第２の挟持部）３ｂのいずれか一方のみに設けられるようにしてもよい。
【００３７】
また、ヘアーアイロン１の後端部１ａからは、図示せぬ電源コードが引き出されている。
【００３８】
そして、ケース３０には、操作スイッチ（スイッチ）６が前後方向にスライド可能に設けられており、この操作スイッチ６を操作することで、ヒータ２３およびヒータ３３に対する通電のオン・オフ状態を切り換えることができるようになっている。本実施形態では、操作スイッチ６は、図１および図１１（ａ）に示すように、下側把持部３ａの前端部の左右片側上部に前後方向にスライド可能に設けられている。そして、操作スイッチ６を前方にスライドさせると通電オン状態となり、後方にスライドさせると通電オフ状態となるようにしている。
【００３９】
操作スイッチ６は、図１１（ａ）に示すように、スライド部６ａを有しており、このスライド部６ａは、ケース３０に形成された凹部３０ｉに前後方向に摺動可能に設けられている。そして、スライド部６ａの外側中央部には突部６ｂが設けられており、この突部６ｂはケース３０の外表面よりも外方に突出している。操作スイッチ６を手動操作によってオン・オフさせる場合には、突部６ｂを指で押すようにして操作スイッチ６を前後移動させることになる。
【００４０】
そして、この操作スイッチ６の操作によってヒータ２３およびヒータ３３を通電させると当該ヒータ２３およびヒータ３３が発熱し、発熱したヒータ２３およびヒータ３３からプレート部２２およびプレート部３２に熱が伝達されることで、プレート部２２およびプレート部３２が加熱される。
【００４１】
また、本実施形態では、ヘアーアイロン１は、上側挟持部２ｂの下側挟持部３ｂ側への相対移動を規制する規制部材を備えている。
【００４２】
具体的には、ケース２０の上側把持部２ａ側下部に、下方に向けて突出するストッパ突起４０を設けるとともに、ケース３０の上部ケース３０ａにストッパ溝部４１を設け、ストッパ突起４０の先端をストッパ溝部４１の底面に当接させることで、上側アーム部２と下側アーム部３との閉じる方向への回動を規制している。
【００４３】
さらに、本実施形態では、毛髪挟持部材２１は、ケース（挟持部本体）２０に対して上下方向（第１の毛髪挟持面の法線方向）に相対的に往復移動可能に支持されている。
【００４４】
具体的には、毛髪挟持部材２１の４隅を、ケース２０内に配置された４個のフロートばね９にて支持することで、毛髪挟持部材２１をケース２０に対して上下移動できるようにしている。
【００４５】
このように、毛髪挟持部材２１をケース２０に上下動可能に支持することで、上側毛髪挟持面（第１の毛髪挟持面）２２ａと下側毛髪挟持面（第２の毛髪挟持面）３２ａとの間に挟み込まれた毛髪に過度の負荷がかかってしまうのを抑制し、毛髪へのダメージを抑制することができるようにしている。
【００４６】
また、上側挟持部２ｂにおける上側毛髪挟持面２２ａの先端側（前方）と根元側（後方）には、上側毛髪挟持面２２ａと下側毛髪挟持面３２ａとで挟持した毛髪が前後方向にばらけてしまうのを抑制する突起部２０ｃが設けられている。
【００４７】
本実施形態では、突起部２０ｃは、上側毛髪挟持面２２ａの前部と後部の幅方向両端にそれぞれ２つずつ設けられている。
【００４８】
なお、毛髪を整流するための突起部は、上側毛髪挟持面２２ａおよび下側毛髪挟持面３２ａのいずれかの前方に設けられるとともに、上側毛髪挟持面２２ａおよび下側毛髪挟持面３２ａのいずれかの後方に設けられていればよい。
【００４９】
ここで、本実施形態では、図３に示すように、ヘアーアイロン１を使い終えて仕舞う際に、挟持部にキャップ１０を被せるようになっている。
【００５０】
キャップ１０は、図７および図８に示すように、前端側が閉止部１１となっており、後端側が挿入口１２となっている。すなわち、キャップ１０は、一端（本実施形態では後端側）が開口した有底筒状に形成されている。そして、ヘアーアイロン１を閉じた状態、すなわち、上側毛髪挟持面２２ａと下側毛髪挟持面３２ａとを近接させた状態で、挟持部（上側挟持部２ｂおよび下側挟持部３ｂ）を前端側からキャップ１０の挿入口１２に挿入するようにしている。本実施形態では、キャップ１０をヘアーアイロン１の挟持部に装着した際に、挟持部のほぼ全体がキャップ１０で覆われるようにしている。
【００５１】
すなわち、キャップ１０は、挟持部（上側挟持部２ｂおよび下側挟持部３ｂ）の発熱部（ヒータ２３およびヒータ３３）が形成された部位の外周全周を覆うようにヘアーアイロン１に装着されるものである。
【００５２】
さらに、本実施形態では、挟持部（上側挟持部２ｂおよび下側挟持部３ｂ）およびキャップ１０に、互いに係合する係合部が設けられている。
【００５３】
具体的には、上側挟持部２ｂおよび下側挟持部３ｂの外表面、すなわち、上部ケース２０ａおよび下部ケース３０ｂの外表面に周方向に沿って突設された挟持部側突部２０ｅ、３０ｅと、キャップ１０の内周に形成された凹部１６とで、互いに係合する係合部を構成している。そして、キャップ１０をヘアーアイロン１に装着した際に、凹部１６と挟持部側突部２０ｅ、３０ｅ（図５では、挟持部側突部３０ｅ）とが係合することで、キャップ１０がヘアーアイロン１から抜け落ちてしまうのを抑制している。
【００５４】
また、本実施形態では、ヘアーアイロン１は、上述したように、上側アーム部２と下側アーム部３とが互いに拡開する方向に付勢されているため、ヘアーアイロン１を閉じた状態で挟持部をキャップ１０に挿入すると、凹部１６と挟持部側突部２０ｅ、３０ｅ（図５では、挟持部側突部３０ｅ）には係合方向の付勢力が常時作用することとなり、両者の係合状態が維持されることになる。
【００５５】
なお、コイルスプリング５による拡開方向への付勢力は、上側アーム部２および下側アーム部３をキャップ１０の内周側に押し付ける力としても作用するため、上述した係合部（凹部１６と挟持部側突部２０ｅ、３０ｅ）を設けなくても、ヘアーアイロン１へのキャップ１０の装着状態を維持することが可能である。
【００５６】
また、キャップ１０の開口端１２ａは、図３および図８に示すように、側面視で、ヘアーアイロン１への装着時に上側となる部位（上側挟持部２ｂと対応する部分）が前方かつ上方に向けて傾斜している。このように、キャップ１０の形状（開口端１２ａの形状）を上下で非対称となるようにすることで、目視によって誤挿入を防止できるようにしている。なお、本実施形態では、上下逆にした状態でも、キャップ１０をヘアーアイロン１に装着することができるようになっている。この場合には、凹部１６と挟持部側突部２０ｅとが係合することになる。
【００５７】
また、図４に示すように、上側把持部２ａの前方部分には複数個のダイヤ状のストーン７が配置されており、装飾効果が得られるようになっている。ダイヤ状のストーン７は、図５および図６に示すように、透明または半透明の合成樹脂材料によって１つの基板７１から複数のダイヤ状のストーン７が突出するように一体成形されている。また、基板７１の裏面にアルミテープを貼ることで光の反射効果が得られるようにし、より安価に意匠性の向上を図ることができるようにしている。そして、複数のダイヤ状のストーン７は、上部ケース２０ａの裏側から上部ケース２０ａに形成された複数の透孔２０ｆに挿入することで外部に露出するようになっている。
【００５８】
さらに、上部ケース２０ａのダイヤ状のストーン７が配置される部分には、ダイヤ状のストーン７を挟むようにして複数の凸条２０ｇが突設されており、下部ケース３０ｂのダイヤ状のストーン７が配置される部分に対応した箇所には複数の凸条３０ｇが突設されている。これらダイヤ状のストーン７、凸条２０ｇおよび凸条３０ｇは、把持部の滑り止めとしての機能も有している。
【００５９】
また、本実施形態では、キャップ１０は、図３、図４および図８に示すように、外表面が複数の面の集合体で形成されている。
【００６０】
具体的には、キャップ１０の外表面にはダイヤモンドカット面１３が形成されており、使用者がキャップ１０を掴んだ際に凹凸感が得られるようにし、キャップ１０のヘアーアイロン１への着脱を容易に行うことができるようにしている。
【００６１】
また、図１および図４に示すように、上側挟持部２ｂおよび下側挟持部３ｂの前方側の外表面には、挟持部の周方向に沿って複数の突部２０ｈ，３０ｈが突設されている。この突部２０ｈ，３０ｈおよび上述した挟持部側突部２０ｅ、３０ｅは、ヘアーアイロン１の使用時に、カール部２ｄもしくはカール部３ｄに押し当てた毛髪が前後方向にばらけてしまうのを抑制する機能も有している。
【００６２】
また、キャップ１０をヘアーアイロン１（ヘアーアイロン１の挟持部）に装着した際に、挟持部とキャップ１０との間に空隙Ｓが形成されるようにしている。
【００６３】
本実施形態では、後方からみたときに、キャップ１０の内周面の曲率半径が、挟持部の外周（上側挟持部２ｂと下側挟持部３ｂを閉じた状態における外周）の曲率半径よりも大きくなるようにキャップ１０を形成することで、挟持部とキャップ１０との間に所定幅（例えば、０．５ｍｍ以上）の空隙Ｓが形成されるようにしている。この空隙Ｓを形成することで、キャップ１０を装着した状態でも、挟持部の熱を外方に効率的に逃がすことができる。すなわち、空隙Ｓに溜められた熱を、挟持部の外周とキャップ１０の開口端１２ａとの間に形成される隙間Ｓ１（図９参照）を通って外方に放出することができるようになっている。
【００６４】
さらに、図７および図９に示すように、キャップ１０の内側先端部には、キャップ１０の挿入方向である前後方向に沿って延在するガイド突部１４が設けられている。そして、挟持部にはガイド突部１４に挿入されるガイド溝４３が設けられている。本実施形態では、２枚の板状部材１４ａ，１４ｂを所定間隔をもって平行配置することでガイド突部１４を形成している。２枚の板状部材１４ａ、１４ｂは、閉止部１１の内側の略中央に幅方向に延在するように設けられているとともに、その両端部が側面に沿って前後方向に延設されている。すなわち、ガイド突部１４は、図８に示すように、全体的に略Ｕ字状に形成されている。また、ガイド溝４３は、ガイド突部１４に沿うように挟持部の前端面から側面に亘って形成されている。なお、本実施形態では、毛髪挟持部材２１，３１をケース２０，３０に、上側毛髪挟持面２２ａおよび下側毛髪挟持面３２ａが突出するように取り付けている。そして、上側挟持部２ｂと下側挟持部３ｂを閉じた際（上側毛髪挟持面２２ａと下側毛髪挟持面３２ａとを当接させた際）に、上側挟持部２ｂの端縁部と下側挟持部３ｂの端縁部との間に隙間が形成されるようにし、その隙間をガイド溝４３としている。
【００６５】
また、２枚の板状部材１４ａ、１４ｂは、板状部材１４ａ、１４ｂ間の距離が、上側毛髪挟持面２２ａと下側毛髪挟持面３２ａとを当接させた状態における上側挟持部２ｂの端縁部と下側挟持部３ｂの端縁部との間の隙間よりも大きくなるように配置されている。
【００６６】
したがって、キャップ１０を挟持部に装着した状態でヘアーアイロン１の把持部（上側把持部２ａおよび下側把持部３ａ）を強く握ると、上側挟持部２ｂと下側挟持部３ｂとでガイド突部１４が挟持される。そのため、ヘアーアイロン１の把持部を強く握れば、挟持部の外周面とキャップ１０の内周面との当接は解除されるが、上側挟持部２ｂと下側挟持部３ｂによってガイド突部１４が挟持され、キャップ１０がヘアーアイロン１から抜け落ちてしまうのが抑制される。
【００６７】
また、ヘアーアイロン１の把持部を軽く握ると、挟持部の外周面がキャップ１０の内周面から離間するとともに上側挟持部２ｂと下側挟持部３ｂとがガイド突部１４を挟持しない状態となる。そのため、ヘアーアイロン１の把持部を軽く握れば、キャップ１０をヘアーアイロン１から引き抜くことができる。すなわち、本実施形態では、ヘアーアイロン１の把持部を軽く握ったときに、キャップ１０のヘアーアイロン１への装着が解除されるようになっている。
【００６８】
さらに、本実施形態では、キャップ１０の内側に、挿入口１２からガイド突部１４にかけて前後方向に延在する一対の補助ガイド突部１５ａ、１５ｂが設けられている。
【００６９】
本実施形態では、補助ガイド突部１５ａが、キャップ１０の幅方向一方側（図７の右側）の側壁に、板状部材１４ａとほぼ同一の高さ位置で前後方向に延在するように設けられている。また、補助ガイド突部１５ｂが、キャップ１０の幅方向他方側（図７の左側）の側壁に、板状部材１４ｂとほぼ同一の高さ位置で前後方向に延在するように設けられている。
【００７０】
このように、ガイド突部１４および補助ガイド突部１５ａ，１５ｂを形成することで、キャップ１０を挟持部に装着する際に、ヘアーアイロン１をキャップ１０に対して適正位置から若干回転した状態で挿入したとしても、ガイド突部１４がガイド溝４３に挿入され、最終的には、キャップ１０がヘアーアイロン１に適正位置で装着されることとなる。
【００７１】
このとき、上述したように、ガイド溝４３を挟持部の側部に設け、ガイド溝４３の幅をガイド突部１４の外側面間の幅よりも若干狭くなるようにしているため、ガイド突部１４がガイド溝４３に挿入された際に、ガイド突部１４によって上側毛髪挟持面２２ａと下側毛髪挟持面３２ａとの間に隙間δが形成されるようになっている。このように、上側毛髪挟持面２２ａと下側毛髪挟持面３２ａとの間に隙間δを形成することで、キャップ１０を装着した状態でも、この隙間δを介して挟持部、特に挟持部の上側毛髪挟持面２２ａ側と下側毛髪挟持面３２ａ側の残熱を上述した空隙Ｓに放出できるようにしている。
【００７２】
さらに、本実施形態では、使用者が誤って操作スイッチ６が通電オン状態のまま、キャップ１０を挟持部に挿入した場合であっても、補助ガイド突部１５ａもしくは補助ガイド突部１５ｂによって、操作スイッチ６を通電オフ状態となるようにスライドさせることができるようにしている。
【００７３】
すなわち、本実施形態では、補助ガイド突部１５ａ，１５ｂが、キャップ１０を挟持部に挿入する際に操作スイッチ６を通電オフ状態となるようにスライドさせるリブに相当している。
【００７４】
以下、図１１（ａ）〜（ｃ）および図１２（ａ）〜（ｃ）に基づいて、操作スイッチ６が通電オン状態のときにキャップ１０を装着した際の操作スイッチ６の動作を説明する。
【００７５】
まず、操作スイッチ６が前方にスライドして通電オン状態にあるときに、キャップ１０を挟持部に挿入していくと、途中までは、図１１（ａ）および図１２（ａ）に示すように、補助ガイド突部１５ｂと突部６ｂとが離間した状態にある。そして、この図１１（ａ）および図１２（ａ）の状態からさらにキャップ１０を挿入すると、図１１（ｂ）および図１２（ｂ）に示すように、補助ガイド突部１５ｂと突部６ｂとが当接する。そして、キャップ１０をさらに挿入すると、図１１（ｃ）および図１２（ｃ）に示すように、補助ガイド突部１５ｂによって突部６ｂが後方に押され、操作スイッチ６が後方にスライドして操作スイッチ６が通電オフ状態となる。
【００７６】
なお、キャップ１０を上下逆にした状態でヘアーアイロン１に装着した場合には、補助ガイド突部１５ａによって、突部６ｂが後方に押されるようになっている。
【００７７】
以上説明したように、本実施形態では、ヘアーアイロン１に、挟持部（上側挟持部２ｂおよび下側挟持部３ｂ）の発熱部（ヒータ２３およびヒータ３３）が形成された部位の外周全周を覆うようにキャップ１０を装着できるようにしている。そのため、使用者がヘアーアイロン１を使用した後に残熱がある発熱部（上側挟持部２ｂおよび下側挟持部３ｂ）に触れてしまうのを抑制することができる。このように、本実施形態によれば、より安全に仕舞うことのできるヘアーアイロン装置１００を得ることができる。このとき、キャップ１０を熱伝導性の低い材料で形成すれば、使用後に残熱がある状態でキャップ１０を装着した場合にキャップ１０が高温になってしまうことを抑制することができる。
【００７８】
また、本実施形態では、挟持部（上側挟持部２ｂおよび下側挟持部３ｂ）およびキャップ１０に、互いに係合する係合部を設けている。そのため、キャップ１０が容易に脱落してしまうのをより確実に抑制することができ、ヘアーアイロン装置１００を仕舞う際の安全性をより一層高めることができる。また、有底筒状のキャップ１０を装着することで、当該キャップ１０によってヘアーアイロン１の拡開方向への移動が拘束されるため、使用していないときに不意にヘアーアイロン１が開いてしまうのを抑制することができ、収納し易くなるという利点もある。
【００７９】
また、本実施形態では、キャップ１０をヘアーアイロン１（ヘアーアイロン１の挟持部）に装着した際に、挟持部とキャップ１０との間に空隙Ｓが形成されるようにしている。したがって、キャップ１０を装着した状態でも、空隙Ｓを介して挟持部の熱を外方に効率的に逃がすことができるため、放熱が促進されてキャップ１０が高温になってしまうのを抑制することができる。
【００８０】
また、本実施形態では、キャップ１０の内側先端部に、キャップ１０の挿入方向である前後方向に沿って延在するガイド突部１４を設けている。そして、挟持部にはガイド突部１４に挿入されるガイド溝４３を設けている。したがって、ヘアーアイロン１がキャップ１０に斜めの状態で挿入された場合であっても、ガイド突部１４がガイド溝４３に案内され、キャップ１０とヘアーアイロン１との相対位置が適正となるように矯正することができる。すなわち、キャップ１０とヘアーアイロン１とを常に適正な状態で装着させることができる。
【００８１】
また、本実施形態では、ガイド突部１４を平行に配置される２枚の板状部材１４ａ，１４ｂで形成したため、ガイド突部１４全体の肉厚を減少させることができる。その結果、キャップ１０の成形時にヒケ等の発生を抑制することができ、キャップ１０の表面を綺麗に仕上げることができる。
【００８２】
また、本実施形態では、ガイド突部１４がガイド溝４３に挿入された際に、ガイド突部１４によって上側毛髪挟持面２２ａと下側毛髪挟持面３２ａとの間に隙間δが形成されるようにしている。このように、上側毛髪挟持面２２ａと下側毛髪挟持面３２ａとの間に隙間δを形成することで、キャップ１０を装着した状態でも、この隙間δを介して挟持部、特に上側毛髪挟持面２２ａ側の挟持部と下側毛髪挟持面３２ａ側の挟持部の残熱を放出できるようになる。その結果、放熱がより一層促進されてキャップ１０が高温になってしまうのを抑制することができ、ヘアーアイロン１をより一層安全に仕舞うことができるようになる。
【００８３】
また、本実施形態では、キャップ１０を挟持部に挿入する際に操作スイッチ６を通電オフ状態となるようにスライドさせる補助ガイド突部（リブ）１５ａ，１５ｂを設けている。そのため、使用者が誤って操作スイッチ６が通電オン状態のまま、キャップ１０を挟持部に挿入したとしても、補助ガイド突部１５ａもしくは補助ガイド突部１５ｂによって、操作スイッチ６を通電オフ状態となるようにスライドさせることができる。その結果、ヘアーアイロン１を仕舞う際にスイッチを切り忘れてしまうことを抑制することができ、より安全性を高めることができるようになる。
【００８４】
また、本実施形態では、キャップ１０の外表面をダイヤモンドカット面（複数の面の集合体）１３となるように形成した。そのため、ダイヤモンドカット面１３がキャップ１０の着脱時の指掛かりとなって着脱が容易になる。また、キャップ１０の外表面をダイヤモンドカット面１３とすることで、キャップ１０の装飾性を向上させることができる上、キャップ１０の表面積が増加してキャップ１０の放熱性をより高めることができる。
【００８５】
以上、本発明の好適な実施形態について説明したが、本発明は上記実施形態には限定されず、種々の変形が可能である。
【００８６】
例えば、ミスト生成部や金属微粒子生成部等のイオン生成部を設けたヘアーアイロン装置に本発明を適用することも可能である。
【００８７】
また、毛髪挟持面や把持部、その他細部のスペック（形状、大きさ、レイアウト等）も適宜に変更可能である。
【符号の説明】
【００８８】
１  ヘアーアイロン
２ａ  上側把持部（把持部）
２ｂ  上側挟持部（第１の挟持部）
３ａ  下側把持部（把持部）
３ｂ  下側挟持部（第２の挟持部）
６  操作スイッチ（スイッチ）
１０  キャップ
１３  ダイヤモンドカット面（複数の面の集合体）
１４  ガイド突部
１５ａ，１５ｂ  補助ガイド突部（リブ）
１６  凹部（係合部）
２０ｅ  挟持部側突部（係合部）
２２ａ  上側毛髪挟持面（第１の毛髪挟持面）
２３  ヒータ（発熱部）
３０ｅ  挟持部側突部（係合部）
３２ａ  下側毛髪挟持面（第２の毛髪挟持面）
３３  ヒータ（発熱部）
４３  ガイド溝
Ｓ  空隙
δ  隙間
【図１】
2012085922.tif 000003
【図２】
2012085922.tif 000004
【図３】
2012085922.tif 000005
【図４】
2012085922.tif 000006
【図５】
2012085922.tif 000007
【図６】
2012085922.tif 000008
【図７】
2012085922.tif 000009
【図８】
2012085922.tif 000010
【図９】
2012085922.tif 000011
【図１０】
2012085922.tif 000012
【図１１】
2012085922.tif 000013
【図１２】
2012085922.tif 000014